(57)【要約】【課題】  シャープな描写が可能な通常撮影用レンズと、ソフトフォーカス撮影用レンズの光学要素の共通化を図ることで、用途の異なる撮影レンズの製造工程をも共通化し、製造コストを大幅に削減することが可能なソフトフォーカス光学系を提供する。【解決手段】  撮像レンズの像側に配置されてソフトフォーカス効果を与えるソフトフォーカス光学系は、１枚の負のレンズと１枚の正のレンズから構成され、該ソフトフォーカス光学系の拡大倍率をＢとしたとき、      ０．９５０＜Ｂ＜１．０５０を満たし、前記１枚の負レンズの焦点距離をｆｎ、前記１枚の正レンズの焦点距離をｆｐ、前記撮像レンズの最大像高をＹとするとき、      ｜（２Ｙ）２／（ｆｎ×ｆｐ）｜≦０．００５  もしくは、０．００５＜｜（２Ｙ）２／（ｆｎ×ｆｐ）｜  のとき、      ｆｎ／ｆｐ＜−０．７５０を満たすことを特徴とする。【選択図】  図１
2018205658.tif 000002
【特許請求の範囲】
【請求項１】
撮像レンズの像側に配置されてソフトフォーカス効果を与えるソフトフォーカス光学系であって、
１枚の負レンズと１枚の正レンズから構成され、
該ソフトフォーカス光学系の拡大倍率をＢとしたとき、
０．９５０＜Ｂ＜１．０５０
を満たし、
前記１枚の負レンズの焦点距離をｆｎ、前記１枚の正レンズの焦点距離をｆｐ、前記撮像レンズの最大像高をＹとするとき、
｜（２Ｙ）２／（ｆｎ×ｆｐ）｜≦０．００５
もしくは、０．００５＜｜（２Ｙ）２／（ｆｎ×ｆｐ）｜  のとき、
ｆｎ／ｆｐ＜−０．７５０
を満たすことを特徴とするソフトフォーカス光学系。
【請求項２】
前記撮像レンズは、無限遠合焦状態のｄ線における光線比率１０割の球面収差量をＳＡ、撮像レンズのＦナンバーをＦｎｏとしたとき、
｜ＳＡ｜／（２Ｙ×Ｆｎｏ）＜４．０００×１０−３
を満たすことを特徴とする請求項１に記載のソフトフォーカス光学系。
【請求項３】
前記撮像レンズは、単焦点レンズであることを特徴とする請求項１又は２に記載のソフトフォーカス光学系。
【請求項４】
前記正レンズの物体側の面の曲率半径をｒｐ１、前記正レンズの像側の面の曲率半径をｒｐ２、前記負レンズの物体側の面の曲率半径をｒｎ１、前記負レンズの像側の面の曲率半径をｒｎ２としたとき、
｜（２Ｙ）２／（ｆｎ×ｆｐ）｜≦０．００５のとき、
２．５＜｜ＳＦｎ｜
２．５＜｜ＳＦｐ｜
ただし、
ＳＦｎ＝（ｒｎ１＋ｒｎ２）／（ｒｎ１−ｒｎ２）
ＳＦｐ＝（ｒｐ１＋ｒｐ２）／（ｒｐ１−ｒｐ２）
満たすことを特徴とする請求項１乃至３のいずれか１項に記載のソフトフォーカス光学系。
【請求項５】
前記正レンズと負レンズのうち、物体側のレンズの物体側の面の曲率半径をｒ１、像側のレンズの像側の面の曲率半径をｒ４としたとき、
０．００５＜｜（２Ｙ）２／（ｆｎ×ｆｐ）｜のとき、物体側のレンズの物体側の面は物体側に凸で、像側のレンズの像側の面は物体側に凸であり、
６．５＜｜ＳＦｎｐ｜
ただし、
ＳＦｎｐ＝（ｒ１＋ｒ４）／（ｒ１−ｒ４）
を満たすことを特徴とする請求項１乃至４のいずれか１項に記載のソフトフォーカス光学系。
【請求項６】
前記負レンズの材料のｄ線の屈折率をＮｎ、前記正レンズの材料のｄ線の屈折率をＮｐとしたとき、
０．７４０＜Ｎｎ／Ｎｐ＜１．３５０
を満たすことを特徴とする請求項１乃至５のいずれか１項に記載のソフトフォーカス光学系。
【請求項７】
前記負レンズと前記正レンズは接合レンズを構成することを特徴とする請求項１乃至６のいずれか１項に記載のソフトフォーカス光学系。
【請求項８】
無限遠合焦時のｄ線における光線比率１０割の球面収差量をＳＡｓとしたとき、
−７．０００×１０−３＜（ＳＡｓ−ＳＡ）
／（２Ｙ×Ｆｎｏ）＜−０．８００×１０−３
を満たすことを特徴とする請求項１乃至７のいずれか１項に記載のソフトフォーカス光学系。
【請求項９】
物体側から像側へ順に、撮像光学系と、請求項１乃至８のいずれか１項に記載のソフトフォーカス光学系を有し、
前記撮像光学系の最も像側の面から、前記ソフトフォーカス光学系の最も物体側の面までの距離をＬ１、前記撮像光学系の最も像側の面から像面までの距離をＬ１ｄとしたとき、
０．０００＜Ｌ１／Ｌ１ｄ＜０．５００
を満足することを特徴とするソフトフォーカスレンズ。
【請求項１０】
前記撮像光学系のみで構成されるレンズ装置の射出瞳から像面までの光軸上の距離をＴｋ１としたとき、
−０．０３３＜１／Ｔｋ１＜−０．００９
を満たすことを特徴とする請求項９に記載のソフトフォーカスレンズ。
【請求項１１】
請求項１乃至８のいずれか１項に記載の前記ソフトフォーカス光学系を含み、前記撮像レンズの像側に着脱可能な構成を有することを特徴とするソフトフォーカスアダプター。
【請求項１２】
請求項１乃至８のいずれか１項に記載のソフトフォーカス光学系を含むレンズ装置と、該レンズ装置によって形成された光学像を受光する撮像素子を有することを特徴とする撮像装置。
【発明の詳細な説明】
【技術分野】
【０００１】
本発明は、撮像光学系の像側に配置されるソフトフォーカス光学系、及びそれを有するソフトフォーカスアダプター、ソフトフォーカスレンズ及びそれを有する撮像装置に関し、特に放送用テレビカメラ、映画用カメラ、ビデオカメラ、デジタルスチルカメラ等に好適なものである。
【背景技術】
【０００２】
従来より、テレビジョン放送用のレンズ、デジタルカメラ、デジタルシネマ用のレンズとして所謂ソフトフォーカス効果を出せるレンズが知られている。これは、シャープな描写が可能な通常撮影用レンズに対し、異なった描写性とするために被写体像の画面中心部の性能を変化させたレンズである。一般的にテレビジョン放送用やデジタルシネマ用のレンズは中心性能（球面収差）の光学性能が高く、コントラストが高いため被写体の輪郭が明瞭である場合が多い。一方で、テレビジョン放送用やデジタルシネマ等の分野では主要被写体を際立たせるため、中心性能（球面収差）の描写性が美的観点における評価の対象となる場合がある。
【０００３】
特許文献１には、ソフトフォーカスレンズの実現のための構成が開示されている。ソフトフォーカスレンズ実現のために、物体側から順に、負のパワーをもつ前群と、絞りを有し正のパワーをもつ後群とを配列して構成されるレンズとしており、広角系のソフトフォーカスレンズを実現可能としている。
【０００４】
特許文献２には、通常撮影レンズの光学系に対して、一部のレンズを周辺部に凸のパワーを有する非球面部を設けた非球面レンズに置き換えることで、ソフトフォーカスレンズを実現可能としている。
【０００５】
特許文献３には、収差可変機能を備えたアタッチメントレンズに関する構成が開示されている。前記、アタッチメントレンズはズームレンズもしくは単焦点レンズの像側に装着される。アタッチメントレンズは全体として２群構成となっており、第１群と第２群の間隔変化に対する球面収差敏感度を高く設定している。複数のレンズ群のうち少なくとも１つのレンズ群を球面収差調整群として光軸方向に移動させる構成としている。
【０００６】
特許文献４には、収差可変機能を備えたソフトフォーカスフィルターを結像レンズと像面の間の光軸上に配置し、光軸方向に変位させることで所望のソフトフォーカス効果を実現する構成としている。
【先行技術文献】
【特許文献】
【０００７】
【特許文献１】特開平０９−１７９０２３号公報
【特許文献２】特開２００４−３０１８８３号公報
【特許文献３】特開平０９−１８９８５８号公報
【特許文献４】特開平０２−７３３２１号公報
【発明の概要】
【発明が解決しようとする課題】
【０００８】
特許文献１のように、ソフトフォーカス描写が可能な撮影レンズを得るためには、別手順でレンズ設計を行うのが一般的である。すなわち、従来では撮影用途の異なるレンズを設計、製造するには、それぞれ異なる設計手順及び専用の製造工程等を必要とする。よって、用途の異なる撮影レンズを設計及び製造する際には大幅なコストアップを招くとともに、他方、コストを抑制するにはレンズの枚数削減を伴うことから、レンズ性能が犠牲になってしまうという、相反する問題があった。
【０００９】
特許文献２に記載のソフトフォーカスレンズでは、通常撮影用レンズとソフトフォーカスレンズの一部の共通化はできているものの、ソフトフォーカスレンズ実現のために非球面を追加している。新たな非球面追加は、製造難易度が高く加工コストが大きく増加する。また、非球面レンズを追加すると、軸ズレ敏感度が高くなってしまうため、組立難易度も上がってしまう。
【００１０】
特許文献３におけるアタッチメントレンズでは結像レンズとアタッチメントレンズの合成焦点距離を変化させてしまう。そのため、結像レンズの焦点距離を変化させずに使用することができないという課題がある。
【００１１】
特許文献４における方法では、ソフトフォーカスの手段として開口以外の部分に対し位相差を持つ小さな開口が２次元的にランダムに分布してなるフィルタを用いる。このようなフィルタを用いる場合は球面収差を正確にコントロールし、所望の効果を得ることが困難であるという課題がある。
【００１２】
本発明は上記を鑑みてなされたもので、シャープな描写を行う通常撮影用レンズとソフトフォーカスレンズの光学要素の共通化、及び、用途の異なるレンズの製造工程の共通化を実現し、製造コストを大幅に削減可能なソフトフォーカス光学系及びそれを有するソフトフォーカスアダプター、ソフトフォーカスレンズ及びそれを有する撮像装置を提供することを目的とする。
【課題を解決するための手段】
【００１３】
上記目的を達成するために、本発明の、撮像光学系の像側に配置されてソフトフォーカス効果を与えるソフトフォーカス光学系は、１枚の負レンズと１枚の正レンズから構成され、該ソフトフォーカス光学系の拡大倍率をＢとしたとき、
０．９５０＜Ｂ＜１．０５０
を満たし、前記１枚の負レンズの焦点距離をｆｎ、前記１枚の正レンズの焦点距離をｆｐ、前記撮像レンズの最大像高をＹとするとき、
｜（２Ｙ）2／（ｆｎ×ｆｐ）｜≦０．００５
もしくは、０．００５＜｜（２Ｙ）2／（ｆｎ×ｆｐ）｜  のとき、
ｆｎ／ｆｐ＜−０．７５０
を満たすことを特徴とする。
【発明の効果】
【００１４】
シャープな描写が可能な通常撮影用レンズと、ソフトフォーカス撮影用レンズの光学要素の共通化を図ることで、用途の異なる撮影レンズの製造工程をも共通化し、製造コストを大幅に削減することが可能なソフトフォーカス光学系及びそれを有するソフトフォーカスアダプター、ソフトフォーカスレンズ及びそれを有する撮像装置を提供することを目的とする。
【図面の簡単な説明】
【００１５】
【図１】実施例１のソフトフォーカスレンズの無限遠合焦時の断面図である。
【図２】実施例１のソフトフォーカスレンズの無限遠合焦時の縦収差図である。
【図３】実施例２のソフトフォーカスレンズの無限遠合焦時の断面図である。
【図４】実施例２のソフトフォーカスレンズの無限遠合焦時の縦収差図である。
【図５】実施例３のソフトフォーカスレンズの無限遠合焦時の断面図である。
【図６】実施例３のソフトフォーカスレンズの無限遠合焦時の縦収差図である。
【図７】実施例４のソフトフォーカスレンズの無限遠合焦時の断面図である。
【図８】実施例４のソフトフォーカスレンズの無限遠合焦時の縦収差図である。
【図９】実施例５のソフトフォーカスレンズの無限遠合焦時の断面図である。
【図１０】実施例５のソフトフォーカスレンズの無限遠合焦時の縦収差図である。
【図１１】実施例６のソフトフォーカスレンズの無限遠合焦時の断面図である。
【図１２】実施例６のソフトフォーカスレンズの無限遠合焦時の縦収差図である。
【図１３】実施例７のソフトフォーカスレンズの無限遠合焦時の断面図である。
【図１４】実施例７のソフトフォーカスレンズの無限遠合焦時の縦収差図である。
【図１５】実施例８のソフトフォーカスレンズの無限遠合焦時の断面図である。
【図１６】実施例８のソフトフォーカスレンズの無限遠合焦時の縦収差図である。
【図１７】実施例９のソフトフォーカスレンズの無限遠合焦時の断面図である。
【図１８】実施例９のソフトフォーカスレンズの無限遠合焦時の縦収差図である。
【図１９】実施例１０のソフトフォーカスレンズの無限遠合焦時の断面図である。
【図２０】実施例１０のソフトフォーカスレンズの無限遠合焦時の縦収差図である。
【図２１】実施例１１のソフトフォーカスレンズの無限遠合焦時の断面図である。
【図２２】実施例１１のソフトフォーカスレンズの無限遠合焦時の縦収差図である。
【図２３】実施例１２のソフトフォーカスレンズの無限遠合焦時の断面図である。
【図２４】実施例１２のソフトフォーカスレンズの無限遠合焦時の縦収差図である。
【図２５】実施例１３のソフトフォーカスレンズの無限遠合焦時の断面図である。
【図２６】実施例１３のソフトフォーカスレンズの無限遠合焦時の縦収差図である。
【図２７】実施例１４のソフトフォーカスレンズの無限遠合焦時の断面図である。
【図２８】実施例１４のソフトフォーカスレンズの無限遠合焦時の縦収差図である。
【図２９】実施例１乃至７及び１０乃至１４における撮像光学系のみからなるレンズの無限遠合焦時の縦収差図である。
【図３０】実施例８における撮像光学系のみからなるレンズの無限遠合焦時の縦収差図である。
【図３１】実施例９における撮像光学系のみからなるレンズの無限遠合焦時の縦収差図である。
【図３２】本発明の撮像装置の要部概略図
【発明を実施するための形態】
【００１６】
次に各実施例の特徴について説明する。
本発明のソフトフォーカス光学系は、撮像光学系（撮像レンズ）の像側に配置して使用され、撮像光学系により形成される光学像にソフトフォーカス効果を与える。本発明のソフトフォーカス光学系の拡大倍率をＢとしたとき、条件式（１）を満足する。
０．９５０＜Ｂ＜１．０５０  ・・・（１）
【００１７】
これは、本発明のソフトフォーカス光学系を撮像光学系の像側に配置して使用するときに、撮像光学系の焦点距離と、該撮像光学系とソフトフォーカス光学系の合成焦点距離を略一致させるために規定している。条件式（１）の上限の条件が満たされない、または下限の条件が満たされないと、撮像光学系の焦点距離と、該撮像光学系とソフトフォーカス光学系の合成焦点距離が大きく変化してしまう。
【００１８】
更に好ましくは、条件式（１）を次の如く設定するのが良い。
０．９５５＜Ｂ＜１．０４５  ・・・（１ａ）
更に好ましくは、条件式（１）を次の如く設定するのが良い。
０．９８０＜Ｂ＜１．０２０  ・・・（１ｂ）
【００１９】
本発明のソフトフォーカス光学系は、前記１枚の負レンズの焦点距離をｆｎ、前記１枚の正レンズの焦点距離ｆｐ、前記撮像レンズの最大像高をＹとするとき、
｜（２Ｙ）2／（ｆｎ×ｆｐ）｜≦０．００５  ・・・（２）
もしくは、０．００５＜｜（２Ｙ）2／（ｆｎ×ｆｐ）｜  のとき、
ｆｎ／ｆｐ＜−０．７５０  ・・・（３）
を満足する。ここで、撮像レンズの最大像高とは、撮像レンズの半画角を決定する最大の像高とする。
【００２０】
条件式（２）は、ソフトフォーカス光学系の各レンズの焦点距離を規定している。条件式（２）を満たす場合、各レンズの屈折力が弱くなり、各レンズにおいて物体側の面と像側の面の曲率が近くなる。これにより、各レンズにおいて、各面が、軸外光線の主光線に対して、いずれも同程度の傾角を有するため、各面で発生する球面収差及び諸収差が打ち消しあい、コマ収差や像面湾曲などの発生を抑制することができる。
【００２１】
条件式（３）は、ソフトフォーカス光学系の各レンズの焦点距離の比率を規定している。各レンズの焦点距離が一定以上の大きさの場合には、各レンズの屈折力が強くなり、各レンズにおいて物体側の面と像側の面の曲率が離れる。これにより、各レンズにおいて、各面が、軸外光線の主光線に対して、異なる傾角を有するため、各面で発生する球面収差及び諸収差の打ち消しが困難となり、コマ収差や像面湾曲などの発生を抑制することが困難となる。この場合、正レンズと負レンズの屈折力を近づけ屈折力の比を−１近傍とすることにより、負レンズで発生した軸外の収差を正レンズで補正することが可能となる。
条件式（２）の上限の条件を満たさず、かつ条件式（３）の上限の条件が満たされない場合、負レンズと正レンズによる軸外の諸収差の打ち消しが悪化するため好ましくない。
【００２２】
更に好ましくは、条件式（３）を次の如く設定するのが良い。
ｆｎ／ｆｐ＜−０．８００  ・・・（３ａ）
更に好ましくは、条件式（３）を次の如く設定するのが良い。
ｆｎ／ｆｐ＜−０．８３０  ・・・（３ｂ）
【００２３】
本発明のソフトフォーカス光学系が使用される際に物体側に配置される撮像光学系（撮像レンズ）は、シャープな描写を行う通常撮影用レンズであり、収差は良好に補正されている。前記撮像光学系は、無限遠合焦状態のｄ線における光線比率１０割の球面収差量をＳＡ、撮像レンズのＦナンバーをＦｎｏとしたとき、条件式（４）を満足する。
｜ＳＡ｜／（２Ｙ×Ｆｎｏ）＜４．０００×１０-3  ・・・（４）
条件式（４）は、撮像光学系について規定しており、条件式（４）を満たすことで球面収差が抑制されたシャープな描写が可能となる。
条件式（４）の上限の条件を満たされない場合、撮像光学系がシャープな描写が困難となってしまい好ましくない。
【００２４】
更に好ましくは、条件式（４）を次の如く設定するのが良い。
｜ＳＡ｜／（２Ｙ×Ｆｎｏ）＜２．５００×１０-3  ・・・（４ａ）
更に好ましくは、条件式（４）を次の如く設定するのが良い。
｜ＳＡ｜／（２Ｙ×Ｆｎｏ）＜１．５００×１０-3  ・・・（４ｂ）
【００２５】
本発明のソフトフォーカス光学系は、２枚のレンズから構成されることを特徴とする。これは該ソフトフォーカス光学系が接続される撮像光学系の収差を変化させた上で、条件式（１）を満足させるために必要な最小の構成である。これを満たさないとソフトフォーカス光学系の小型化や軽量化が困難となる。
また、本発明の更なる実施態様として、ソフトフォーカス光学系は、軸上色収差及び倍率色収差の補正のため、負レンズと正レンズを接合した接合レンズであることが好ましい。
【００２６】
また、本発明のソフトフォーカス光学系を構成する負レンズの物体側及び像側の面の曲率半径、正レンズの物体側及び像側の面の曲率半径をそれぞれｒｎ１、ｒｎ２、ｒｐ１、ｒｐ２としたとき、下記の条件式（２）、（５）〜（６）を満足すると良い。
｜（２Ｙ）2／（ｆｎ×ｆｐ）｜≦０．００５  ・・・（２）
２．５＜｜ＳＦｎ｜  ・・・（５）
２．５＜｜ＳＦｐ｜  ・・・（６）
ただし、
ＳＦｎ＝（ｒｎ１＋ｒｎ２）／（ｒｎ１−ｒｎ２）
ＳＦｐ＝（ｒｐ１＋ｒｐ２）／（ｒｐ１−ｒｐ２）
とする。
【００２７】
条件式（５）〜（６）は、ソフトフォーカス光学系を構成する各レンズのレンズ形状（シェイプファクター）を規定している。ソフトフォーカス光学系を構成する各レンズは、負レンズと、正レンズで構成される。各レンズにおいて物体側の面と像側の面の曲率が近ければ、各レンズにおいて、各面が、軸外光線の主光線に対して、いずれも同程度の傾角を有するため、各面で発生する球面収差及び諸収差が打ち消しあい、コマ収差や像面湾曲などの発生を抑制することができる。条件式（５）〜（６）を満足することで、ソフトフォーカス光学系の各面による軸外の収差など他の諸収差の発生を抑制することが可能となる。条件式（５）及び（６）の下限値を下回ると、負レンズと正レンズのそれぞれにおいて、屈折力が強くなり過ぎて、軸外の収差や色収差など他の諸収差の発生を抑制するのが困難になる。
【００２８】
更に好ましくは、条件式（５）から（６）を次の如く設定するのが良い。
３．０＜｜ＳＦｎ｜  ・・・（５ａ）
３．０＜｜ＳＦｐ｜  ・・・（６ａ）
【００２９】
また、本発明のソフトフォーカス光学系を構成する負レンズ及び正レンズは、前記正のレンズと負のレンズのうち、物体側のレンズの物体側の面の曲率半径をｒ１、像側のレンズの像側の面の曲率半径をｒ４としたとき、
０．００５＜｜（２Ｙ）2／（ｆｎ×ｆｐ）｜
のとき、物体側のレンズの物体側の面は物体側に凸で、像側のレンズの像側の面は物体側に凸であり、下記の条件式（７）を満足すると良い。
６．５＜｜ＳＦｎｐ｜  ・・・（７）
ただし、
ＳＦｎｐ＝（ｒ１＋ｒ４）／（ｒ１−ｒ４）
とする。
【００３０】
条件式（７）は、ソフトフォーカス光学系を構成する各レンズのレンズ形状（シェイプファクター）を規定している。各レンズの焦点距離が一定以上の大きさの場合には、ソフトフォーカス光学系全体で、負レンズと正レンズの各面における諸収差を打ち消すことが必要である。収差の発生量が大きい物体側のレンズの物体側の面の曲率と、像側のレンズの像側の面の曲率とが、軸外光線に対し同程度の傾角を有するため、各面で発生する軸外光線に起因する諸収差が各面で打ち消しあい、軸外収差の発生を抑制することができる。
【００３１】
一方で軸上光線については、物体側レンズの物体側の面は物体側に凸で像側レンズの像側の面は物体側に凸で同程度の曲率の場合には、オーバーの球面収差を発生させる物体側レンズの物体側面での傾角に対し、アンダーの球面収差を発生させる像側レンズの像側面の傾角が大きくなる。このため、ソフトフォーカス光学系として負の球面収差を発生させることができる。
条件式（７）の下限値を下回ると、ソフトフォーカス光学系全体で、負レンズと正レンズの各面における諸収差を十分に打ち消すことが困難となるため、好ましくない。
更に好ましくは、条件式（７）を次の如く設定するのが良い。
７．０＜｜ＳＦｎｐ｜  ・・・（７ａ）
【００３２】
また、本発明のソフトフォーカス光学系を構成する負レンズ及び正レンズは、前記負のレンズの材料のｄ線の屈折率をＮｎ、前記正のレンズの材料のｄ線の屈折率をＮｐとしたとき、条件式（８）を満足すると良い。
０．７４０＜Ｎｎ／Ｎｐ＜１．３５０  ・・・（８）
【００３３】
条件式（８）は、ソフトフォーカス光学系を構成する各レンズの屈折率を規定している。条件式（８）の範囲を満足することで、球面収差及びペッツバール和を効果的にコントロールすることが可能となる。
条件式（８）の上限の条件が満たされない場合には、負の屈折率が大きくなりすぎるため、撮像レンズに対しペッツバール和が大きくなり好ましくない。条件式（８）の下限の条件が満たされない場合には、ペッツバール和が小さくなるので好ましくない。また、負レンズに対し正レンズの屈折率が大きくなり、正レンズの曲率が緩くなり、正レンズで発生する球面収差が小さくなってしまうため好ましくない。
更に好ましくは、条件式（８）を次の如く設定するのが良い。
０．８００＜Ｎｎ／Ｎｐ＜１．２５０  ・・・（８ａ）
【００３４】
本発明のソフトフォーカス光学系は、撮像光学系の像側に該撮像光学系と一体的に接続されたソフトフォーカスレンズとして使用してもよいし、撮像光学系の像側に着脱可能に構成されるソフトフォーカス光学装置として使用しても良い。以下、ソフトフォーカス光学系が一体的に構成されたソフトフォーカスレンズ、または、本発明のソフトフォーカス光学系が撮像光学系の像側に着脱可能に構成されるソフトフォーカスアダプターとして使用される場合の、ソフトフォーカス光学系と撮像光学系の構成について以下に記載する。
【００３５】
本発明のソフトフォーカス光学系は、撮像光学系の像側に該撮像光学系と一体的となった際の無限遠合焦状態のｄ線における光線比率１０割の球面収差量をＳＡｓとしたとき、下記の条件式（９）を満足する。
−７．０００×１０-3＜（ＳＡｓ−ＳＡ）
／（２Ｙ×Ｆｎｏ）＜−０．８００×１０-3  ・・・（９）
【００３６】
条件式（９）は、ソフトフォーカス光学系によるソフトフォーカス効果について定義している。条件式（９）を満たすことで撮像光学系に対し、アンダーの球面収差を発生させて後ボケのボケ味の美しい、柔らかい描写が表現可能となる
条件式（９）の上限の条件を満たされない場合、ソフトフォーカス光学系による効果的なボケの描写が困難となる。
更に好ましくは、条件式（９）を次の如く設定するのが良い。
−５．０００×１０-3＜（ＳＡｓ−ＳＡ）
／（２Ｙ×Ｆｎｏ）＜−０．８００×１０-3  ・・・（９ａ）
【００３７】
本発明のソフトフォーカス光学系が撮像光学系の像側に接続されたとき、上記の条件式（１）は、撮像光学系のみからなる通常撮影レンズと、ソフトフォーカス光学系が接続されたソフトフォーカスレンズとで、全系の焦点距離が略一定であることを意味する。すなわち、撮像光学系の焦点距離をｆ１、撮像光学系にソフトフォーカス光学系が接続されたソフトフォーカスレンズの焦点距離をｆとするとき、条件式（１）を満足することと等価である。
０．９５０＜ｆ／ｆ１＜１．０５０  ・・・（１ｃ）
【００３８】
撮像光学系とソフトフォーカスアダプターが着脱可能に接続されたレンズ装置、または、前記ソフトフォーカスレンズは、物体側から像側へ順に、正の屈折力の撮像光学系と、ソフトフォーカス光学系とから構成され、ソフトフォーカス光学系は負のレンズと、正のレンズの２枚から構成される。ここで屈折力は焦点距離の逆数として定義される。
【００３９】
撮像光学系の最も像側の面からソフトフォーカス光学系の最も物体側の面までの距離をＬ１、撮像光学系の最も像側の面から像面までの距離をＬ１ｄとしたとき、条件式（１０）を満足すると良い。
０．０００＜Ｌ１／Ｌ１ｄ＜０．５００  ・・・（１０）
【００４０】
条件式（１０）は、ソフトフォーカス光学系の位置を規定している。球面収差を変化させたい場合はソフトフォーカス光学系の軸上光線の光線高さが高い方が、大きな変化を達成できるため、ソフトフォーカス光学系の位置は、撮像光学系に近いほど球面収差のコントロールを行う上で好ましい。また、ソフトフォーカス光学系が撮像光学系に近い方が、軸外光線の主光線の光線高さを抑制できるため、周辺性能への影響をより抑制できるため好ましい。条件式（１０）を満足することで球面収差を変化させるための効果的な配置となる。条件式（１０）の下限値を下回ると球面収差のコントロールが難しくなる。条件式（１０）の上限値を上回ると、撮像光学系とソフトフォーカス光学系が干渉してしまう。
更に好ましくは、条件式（１０）を次の如く設定するのが良い。
０．０００＜Ｌ１／Ｌ１ｄ＜０．３００  ・・・（１０ａ）
【００４１】
更に、本発明のソフトフォーカス光学系が適用される撮像光学系は、該撮像光学系のみで構成されるレンズ装置の射出瞳から像面までの光軸上の距離をＴｋ１としたとき、条件式（１１）を満足すると良い。
−０．０３３＜１／Ｔｋ１＜−０．００９  ・・・（１１）
【００４２】
条件式（１１）は、撮像光学系のみからなるレンズ装置の射出瞳から像面までの光軸上の距離を規定している。撮像光学系の射出瞳から像面までの光軸上の距離が条件式（１１）を満足しない場合、ソフトフォーカスレンズの各面へ入射する軸上光線や軸外光線の主光線の傾角が大きくなりすぎるため、周辺の諸収差の抑制と適切な量の球面収差の発生の両立が困難となる。
以下、添付の図面を参照しながら実施例１乃至１４を説明する。
【実施例１】
【００４３】
本発明の第１の実施例に係るソフトフォーカス光学系を図１、２を参照しながら説明する。
図１は本発明の実施例１のソフトフォーカスレンズの無限遠物体に合焦しているときのレンズ断面図である。ここでは、撮像光学系の像側に本発明のソフトフォーカス光学系が一体的に構成されているソフトフォーカスレンズとして説明する。しかし、本発明はこれに限定されることはなく、撮像光学系の像側に本発明のソフトフォーカス光学系が着脱可能に構成されていても同様の効果を得ることができる。これは、以下の実施例２乃至１４についても同様である。
【００４４】
Ｕ１は全体として正の屈折力を有する第１レンズ群（撮像光学系）である。第１レンズ群Ｕ１は第１サブレンズ群Ｕ１１、第２サブレンズ群Ｕ１２、第３サブレンズ群Ｕ１３で構成される。第３サブレンズ群Ｕ１３は無限遠から有限距離へのフォーカス調整に際して像側から物体側へ移動する。第２サブレンズ群Ｕ１２は第３サブレンズ群Ｕ１３に連動して移動し、フォーカスに伴う像面変動を補正するレンズ群である。ＳＰは開口絞りである。第２レンズ群Ｕ２は物体側に凸面を有する負のメニスカスレンズと、物体側に凸面を有する正のメニスカスレンズの２枚から構成されている第２レンズ群（ソフトフォーカス光学系）である。ＩＰは像面であり、撮像素子（光電変換素子）の撮像面に相当している。
【００４５】
この第１レンズ群Ｕ１の光学系単独では、シャープな描写を可能とする通常の撮影レンズとして作用する一方、第１レンズ群の像側に第２レンズ群を追加することで、球面収差が大きく発生したソフトフォーカス描写が得られるソフトフォーカスレンズとなる。したがって、第２レンズ群を適用しない第１レンズ群のみからなる通常のレンズと第２レンズ群を用意し、これらを組合せて使用することにより、ソフトフォーカスレンズと通常撮影レンズの二種類のレンズが容易に得られる。
【００４６】
第２レンズ群Ｕ２は物体側に凸面を有する負のメニスカスレンズと、物体側に凸面を有する正のメニスカスレンズの２枚から構成され、全体として負の屈折力となっている。これにより、第２レンズ群の追加前後で軸外の収差など他の諸収差の発生を抑制しつつ、球面収差を大きく変化させることが可能となり、第２レンズ群で負の球面収差を発生させ、使用頻度の高い後ボケについて柔らかい描写が表現可能となる。
【００４７】
次に、実施例１の各レンズ群のレンズ構成について説明する。以下、各レンズは物体側より像側へ順に配置されているものとする。第１レンズ群Ｕ１は第１サブレンズ群Ｕ１１、第２サブレンズ群Ｕ１２、第３サブレンズ群Ｕ１３から構成される。第１サブレンズ群Ｕ１１は、負レンズ２枚、正レンズ１枚、第２サブレンズ群Ｕ１２は正レンズ、正レンズと負レンズの接合レンズ、第３サブレンズ群Ｕ１３は負レンズと正レンズの接合レンズ、正レンズ２枚で構成されている。この第１レンズ群の構成は、実施例１から７及び１０から１４において、全て同じである。
【００４８】
実施例１の第２レンズ群Ｕ２は、物体側から順に、負のレンズと正レンズの接合レンズで構成されている。各レンズは、物体側に凸面を有する負のメニスカスレンズと、物体側に凸面を有する正のメニスカスレンズである。実施例１のソフトフォーカスレンズは、焦点距離３４．２ｍｍ、半画角３２．３度、Ｆナンバー１．４５である。
【００４９】
図２に実施例１のソフトフォーカスレンズの無限遠合焦時の縦収差図を示す。図２９に実施例１における第１レンズ群のみからなるレンズ装置の無限遠合焦時の縦収差図を示す。なお、図２９に示した実施例１における第１レンズ群のみからなるレンズ装置の無限遠合焦時の縦収差図は、実施例１乃至７及び１０乃至１４において同様である。縦収差図において、球面収差における実線、二点鎖線は各々ｅ線、ｇ線である。非点収差における破線と実線は各々メリディオナル像面、サジタル像面であり、倍率色収差における二点鎖線はｇ線である。ωは半画角、ＦｎｏはＦナンバーである。縦収差図では、球面収差は０．４ｍｍ、非点収差は０．４ｍｍ、歪曲は５％、倍率色収差は０．０５ｍｍのスケールで描かれている。本実施例の各条件式対応値を表１に示すように、本実施例は（１）、（３）、（４）、（７）〜（１１）式を満足している。
【実施例２】
【００５０】
図３は本発明の実施例２のソフトフォーカスレンズの無限遠物体に合焦しているときのレンズ断面図である。
【００５１】
実施例２においては、第１レンズ群（第１サブレンズ群Ｕ１１、第２サブレンズ群Ｕ１２、第３サブレンズ群Ｕ１３）の特徴的な構成は実施例１と全て同じである。
実施例２の第２レンズ群（ソフトフォーカス光学系）Ｕ２は、物体側から像側へ順に、負レンズと正レンズの各１枚の単レンズで構成されている。各レンズは、物体側に凸面を有する負のメニスカスレンズと、物体側に凸面を有する正のメニスカスレンズである。第１レンズ群と第２レンズ群で構成される実施例２のソフトフォーカスレンズは、焦点距離３４．２ｍｍ、半画角３２．３度、Ｆナンバー１．４５である。
【００５２】
図４に実施例２のソフトフォーカスレンズの無限遠合焦時の縦収差図を示す。図２９に実施例２における第１レンズ群のみからなるレンズ装置の無限遠合焦時の縦収差図を示す。なお、図２９に示した実施例２における第１レンズ群のみからなるレンズ装置の無限遠合焦時の縦収差図は、実施例１乃至７及び１０乃至１４において同様である。
本実施例の各条件式対応値を表１に示すように、本実施例は（１）、（３）、（４）、（７）〜（１１）式を満足している。
【実施例３】
【００５３】
図５は本発明の実施例３のソフトフォーカスレンズの無限遠物体に合焦しているときのレンズ断面図である。
【００５４】
実施例３においては、第１レンズ群（第１サブレンズ群Ｕ１１、第２サブレンズ群Ｕ１２、第３サブレンズ群Ｕ１３）の特徴的な構成は実施例１と全て同じである。実施例３の第２レンズ群（ソフトフォーカス光学系）Ｕ２は、物体側から像側へ順に、負レンズと正レンズの各１枚の単レンズで構成されている。各レンズは、物体側に凸面を有する負のメニスカスレンズと、物体側に凸面を有する正のメニスカスレンズである。第１レンズ群と第２レンズ群で構成される実施例３のソフトフォーカスレンズは、焦点距離３４．２ｍｍ、半画角３２．３度、Ｆナンバー１．４５である。
【００５５】
図６に実施例３のソフトフォーカスレンズの無限遠合焦時の縦収差図を示す。図２９に実施例３における第１レンズ群のみからなるレンズ装置の無限遠合焦時の縦収差図を示す。なお、図２９に示した実施例３における第１レンズ群のみからなるレンズ装置の無限遠合焦時の縦収差図は、実施例１乃至７及び１０乃至１４において同様である。
本実施例の各条件式対応値を表１に示すように、本実施例は（１）、（２）、（５）、（６）、（８）〜（１１）式を満足している。
【実施例４】
【００５６】
図７は本発明の実施例４のソフトフォーカスレンズの無限遠物体に合焦しているときのレンズ断面図である。
【００５７】
実施例４においては、第１レンズ群（第１サブレンズ群Ｕ１１、第２サブレンズ群Ｕ１２、第３サブレンズ群Ｕ１３）の特徴的な構成は実施例１と全て同じである。
実施例４の第２レンズ群Ｕ２は、物体側から像側へ順に、負のレンズと正レンズの接合レンズで構成されている。各レンズは、物体側に凸面を有する負のメニスカスレンズと、物体側に凸面を有する正のメニスカスレンズである。第１レンズ群と第２レンズ群で構成される実施例４ソフトフォーカスレンズは、焦点距離３４．２ｍｍ、半画角３２．３度、Ｆナンバー１．４５である。
【００５８】
図８に実施例４のソフトフォーカスレンズの無限遠合焦時の縦収差図を示す。図２９に実施例４における第１レンズ群のみからなるレンズ装置の無限遠合焦時の縦収差図を示す。なお、図２９に示した実施例４における第１レンズ群のみからなるレンズ装置の無限遠合焦時の縦収差図は、実施例１乃至７及び１０乃至１４において同様である。
本実施例の各条件式対応値を表１に示すように、本実施例は（１）、（２）、（５）、（６）、（８）〜（１１）式を満足している。
【実施例５】
【００５９】
図９は本発明の実施例５のソフトフォーカスレンズの無限遠物体に合焦しているときのレンズ断面図である。
【００６０】
実施例５においては、第１レンズ群（第１サブレンズ群Ｕ１１、第２サブレンズ群Ｕ１２、第３サブレンズ群Ｕ１３）の特徴的な構成は実施例１と全て同じである。実施例５の第２レンズ群Ｕ２は、物体側から像側へ順に、負のレンズと正レンズの接合レンズで構成されている。各レンズは、物体側に凸面を有する負のメニスカスレンズと、物体側に凸面を有する正のメニスカスレンズである。第１レンズ群と第２レンズ群で構成される実施例５のソフトフォーカスレンズは、焦点距離３２．８ｍｍ、半画角３３．４度、Ｆナンバー１．３９である。
【００６１】
図１０に実施例５のソフトフォーカスレンズの無限遠合焦時の縦収差図を示す。図２９に実施例５における第１レンズ群のみからなるレンズ装置の無限遠合焦時の縦収差図を示す。なお、図２９に示した実施例５における第１レンズ群のみからなるレンズ装置の無限遠合焦時の縦収差図は、実施例１乃至７及び１０乃至１４において同様である。
本実施例の各条件式対応値を表１に示すように、本実施例は（１）、（３）、（４）、（７）〜（１１）式を満足している。
【実施例６】
【００６２】
図１１は本発明の実施例６のソフトフォーカスレンズの無限遠物体に合焦しているときのレンズ断面図である。
【００６３】
実施例６においては、第１レンズ群（第１サブレンズ群Ｕ１１、第２サブレンズ群Ｕ１２、第３サブレンズ群Ｕ１３）の特徴的な構成は実施例１と全て同じである。実施例６の第２レンズ群Ｕ２は、物体側から順に、負のレンズと正レンズの接合レンズで構成されている。各レンズは、物体側に凸面を有する負のメニスカスレンズと、物体側に凸面を有する正のメニスカスレンズである。第１レンズ群と第２レンズ群で構成される実施例６の構成のソフトフォーカスレンズは、焦点距離３５．６ｍｍ、半画角３１．３度、Ｆナンバー１．５１である。
【００６４】
図１２に実施例６のソフトフォーカスレンズの無限遠合焦時の縦収差図を示す。図２９に実施例６における第１レンズ群のみからなるレンズ装置の無限遠合焦時の縦収差図を示す。なお、図２９に示した実施例６における第１レンズ群のみからなるレンズ装置の無限遠合焦時の縦収差図は、実施例１乃至７及び１０乃至１４において同様である。
本実施例の各条件式対応値を表１に示すように、本実施例は（１）、（３）、（４）、（７）〜（１１）式を満足している。
【実施例７】
【００６５】
図１３は本発明の実施例７のソフトフォーカスレンズの無限遠物体に合焦しているときのレンズ断面図である。
【００６６】
実施例７においては、第１レンズ群（第１サブレンズ群Ｕ１１、第２サブレンズ群Ｕ１２、第３サブレンズ群Ｕ１３）の特徴的な構成は実施例１と全て同じである。実施例７の第２レンズ群Ｕ２は、物体側から順に、負のレンズと正レンズの接合レンズで構成されている。各レンズは、物体側に凸面を有する負のメニスカスレンズと、物体側に凸面を有する正のメニスカスレンズである。第１レンズ群と第２レンズ群で構成される実施例７の構成のレンズは、焦点距離３４．２ｍｍ、半画角３２．３度、Ｆナンバー１．４５である。
【００６７】
図１４に実施例７のソフトフォーカスレンズの無限遠合焦時の縦収差図を示す。図２９に実施例７における第１レンズ群のみからなるレンズ装置の無限遠合焦時の縦収差図を示す。なお、図２９に示した実施例７における第１レンズ群のみからなるレンズ装置の無限遠合焦時の縦収差図は、実施例１乃至７及び１０乃至１４において同様である。
本実施例の各条件式対応値を表１に示すように、本実施例は（１）、（３）、（４）、（７）〜（１１）式を満足している。
【実施例８】
【００６８】
図１５は本発明の実施例８のソフトフォーカスレンズの無限遠物体に合焦しているときのレンズ断面図である。
【００６９】
実施例８に係るソフトフォーカスレンズの構成について説明する。以下、各レンズは物体側より像側へ順に配置されているものとする。第１レンズ群Ｕ１は第１サブレンズ群Ｕ１１、第２サブレンズ群Ｕ１２、第３サブレンズ群Ｕ１３から構成される。第１レンズ群Ｕ１は全体として正の屈折力を有する。第１サブレンズ群Ｕ１１は、正レンズ２枚、負レンズ１枚、正レンズ１枚、負レンズ１枚で構成される。第２サブレンズ群Ｕ１２は正レンズと負レンズの接合レンズで構成される。第３サブレンズ群Ｕ１３は負レンズと正レンズの接合レンズ、正レンズ１枚で構成されている。第２サブレンズ群Ｕ１２は、無限遠から有限距離へのフォーカス調整に際して物体側から像側へ移動する。第１サブレンズ群Ｕ１１及び第３サブレンズ群Ｕ１３はフォーカシングのためには移動しないレンズ群である。ＳＰは開口絞りである。第２レンズ群（ソフトフォーカス光学系）Ｕ２の構成は実施例１と全て同じであって、物体側から像側へ順に、負のレンズと正レンズの接合レンズで構成されている。各レンズは、物体側に凸面を有する負のメニスカスレンズと、物体側に凸面を有する正のメニスカスレンズである。ＩＰは像面であり、撮像素子（光電変換素子）の撮像面に相当している。第１レンズ群と第２レンズ群で構成される実施例８の構成のソフトフォーカスレンズは、焦点距離１３１．０ｍｍ、半画角９．３７度、Ｆナンバー２．０６である。
【００７０】
図１６に実施例８のソフトフォーカスレンズの無限遠合焦時の縦収差図を示す。図３０に実施例８における第１レンズ群のみからなるレンズ装置の無限遠合焦時の縦収差図を示す。
本実施例の各条件式対応値を表１に示すように、本実施例は（１）、（３）、（４）、（７）〜（１１）式を満足している。
【実施例９】
【００７１】
図１７は本発明の実施例９のソフトフォーカスレンズの無限遠物体に合焦しているときのレンズ断面図である。
【００７２】
実施例９に係るソフトフォーカスレンズの構成について説明する。以下、各レンズは物体側より像側へ順に配置されているものとする。第１レンズ群Ｕ１は第１サブレンズ群Ｕ１１、第２サブレンズ群Ｕ１２、第３サブレンズ群Ｕ１３から構成される。第１レンズ群Ｕ１は全体として正の屈折力を有する。第１サブレンズ群Ｕ１１は、負レンズ２枚、正レンズ１枚、負レンズと正レンズの接合レンズ、第２サブレンズ群Ｕ１２は正レンズと負レンズの接合レンズ、負レンズ１枚、正レンズ１枚、第３サブレンズ群Ｕ１３は正レンズと負レンズの接合レンズ、正レンズ２枚で構成されている。第３サブレンズ群Ｕ１３は無限遠から有限距離へのフォーカス調整に際して像側から物体側へ移動する。第２サブレンズ群Ｕ１２は第３サブレンズ群Ｕ１３に連動して移動し、フォーカスに伴う像面変動を補正する。ＳＰは開口絞りである。
【００７３】
第２レンズ群Ｕ２（ソフトフォーカス光学系）の構成は実施例１と同じであり、物体側から像側へ順に、負のレンズと正レンズの接合レンズで構成されている。ＩＰは像面であり、撮像素子（光電変換素子）の撮像面に相当している。各レンズは、物体側に凸面を有する負のメニスカスレンズと、物体側に凸面を有する正のメニスカスレンズである。第１レンズ群と第２レンズ群で構成される実施例９のソフトフォーカスレンズは、焦点距離２４．６ｍｍ、半画角４１．４度、Ｆナンバー１．４５である。
【００７４】
図１８に実施例９のソフトフォーカスレンズの無限遠合焦時の縦収差図を示す。図３１に実施例９における第１レンズ群のみからなるレンズ装置の無限遠合焦時の縦収差図を示す。
本実施例の各条件式対応値を表１に示すように、本実施例は（１）、（３）、（４）、（７）〜（１１）式を満足している。
【実施例１０】
【００７５】
図１９は本発明の実施例１０のソフトフォーカスレンズの無限遠物体に合焦しているときのレンズ断面図である。
【００７６】
実施例１０においては、第１レンズ群（第１サブレンズ群Ｕ１１、第２サブレンズ群Ｕ１２、第３サブレンズ群Ｕ１３）の特徴的な構成は実施例１と全て同じである。実施例１０の第２レンズ群（ソフトフォーカス光学系）Ｕ２は、物体側から像側へ順に、正レンズと負レンズの各１枚の単レンズで構成されている。各レンズは、物体側に凹面を有する正のメニスカスレンズと、物体側に凸面を有する負のメニスカスレンズである。第１レンズ群と第２レンズ群で構成される実施例１０のソフトフォーカスレンズは、焦点距離３３．１ｍｍ、半画角３３．２度、Ｆナンバー１．４０である。
【００７７】
図２０に実施例１０のソフトフォーカスレンズの無限遠合焦時の縦収差図を示す。図２９に実施例１０における第１レンズ群のみからなるレンズ装置の無限遠合焦時の縦収差図を示す。なお、図２９に示した実施例１０における第１レンズ群のみからなるレンズ装置の無限遠合焦時の縦収差図は、実施例１乃至７及び１０乃至１４において同様である。
本実施例の各条件式対応値を表１に示すように、本実施例は（１）、（２）、（４）〜（６）、（８）〜（１１）式を満足している。
【実施例１１】
【００７８】
図２１は本発明の実施例１１のソフトフォーカスレンズの無限遠物体に合焦しているときのレンズ断面図である。
【００７９】
実施例１１においては、第１レンズ群（第１サブレンズ群Ｕ１１、第２サブレンズ群Ｕ１２、第３サブレンズ群Ｕ１３）の特徴的な構成は実施例１と全て同じである。実施例１１の第２レンズ群（ソフトフォーカス光学系）Ｕ２は、物体側から像側へ順に、負レンズと正レンズの各１枚の単レンズで構成されている。各レンズは、物体側に凸面を有する負のメニスカスレンズと、物体側に凹面を有する正のメニスカスレンズである。第１レンズ群と第２レンズ群で構成される実施例１１のソフトフォーカスレンズは、焦点距離３３．１ｍｍ、半画角３３．２度、Ｆナンバー１．４０である。
【００８０】
図２２に実施例１１のソフトフォーカスレンズの無限遠合焦時の縦収差図を示す。図２９に実施例１１における第１レンズ群のみからなるレンズ装置の無限遠合焦時の縦収差図を示す。なお、図２９に示した実施例１１における第１レンズ群のみからなるレンズ装置の無限遠合焦時の縦収差図は、実施例１乃至７及び１０乃至１４において同様である。
本実施例の各条件式対応値を表１に示すように、本実施例は（１）、（２）、（４）〜（６）、（８）〜（１１）式を満足している。
【実施例１２】
【００８１】
図２３は本発明の実施例１２のソフトフォーカスレンズの無限遠物体に合焦しているときのレンズ断面図である。
【００８２】
実施例１２においては、第１レンズ群（第１サブレンズ群Ｕ１１、第２サブレンズ群Ｕ１２、第３サブレンズ群Ｕ１３）の特徴的な構成は実施例１と全て同じである。実施例１２の第２レンズ群（ソフトフォーカス光学系）Ｕ２は、物体側から像側へ順に、正レンズと負レンズの接合レンズで構成されている。各レンズは、物体側に凸面を有する正のレンズと、物体側に凹面を有する負のレンズである。第１レンズ群と第２レンズ群で構成される実施例１２のソフトフォーカスレンズは、焦点距離３３．１ｍｍ、半画角３３．２度、Ｆナンバー１．４０である。
【００８３】
図２４に実施例１２のソフトフォーカスレンズの無限遠合焦時の縦収差図を示す。図２９に実施例１２における第１レンズ群のみからなるレンズ装置の無限遠合焦時の縦収差図を示す。なお、図２９に示した実施例１２における第１レンズ群のみからなるレンズ装置の無限遠合焦時の縦収差図は、実施例１乃至７及び１０乃至１４において同様である。
本実施例の各条件式対応値を表１に示すように、本実施例は（１）、（３）、（４）、（７）〜（１１）式を満足している。
【実施例１３】
【００８４】
図２５は本発明の実施例１３のソフトフォーカスレンズの無限遠物体に合焦しているときのレンズ断面図である。
【００８５】
実施例１３においては、第１レンズ群（第１サブレンズ群Ｕ１１、第２サブレンズ群Ｕ１２、第３サブレンズ群Ｕ１３）の特徴的な構成は実施例１と全て同じである。実施例１３の第２レンズ群（ソフトフォーカス光学系）Ｕ２は、物体側から像側へ順に、負レンズと正レンズの各１枚の単レンズで構成されている。各レンズは、物体側に凸面を有する負のレンズと、物体側に凸面を有する正のレンズである。第１レンズ群と第２レンズ群で構成される実施例１３のソフトフォーカスレンズは、焦点距離３２．８ｍｍ、半画角３３．４度、Ｆナンバー１．３９である。
【００８６】
図２６に実施例１３のソフトフォーカスレンズの無限遠合焦時の縦収差図を示す。図２９に実施例１３における第１レンズ群のみからなるレンズ装置の無限遠合焦時の縦収差図を示す。なお、図２９に示した実施例１３における第１レンズ群のみからなるレンズ装置の無限遠合焦時の縦収差図は、実施例１乃至７及び１０乃至１４において同様である。
本実施例の各条件式対応値を表１に示すように、本実施例は（１）、（２）、（４）〜（６）、（８）〜（１１）式を満足している。
【実施例１４】
【００８７】
図２７は本発明の実施例１４のソフトフォーカスレンズの無限遠物体に合焦しているときのレンズ断面図である。
【００８８】
実施例１４においては、第１レンズ群（第１サブレンズ群Ｕ１１、第２サブレンズ群Ｕ１２、第３サブレンズ群Ｕ１３）の特徴的な構成は実施例１と全て同じである。実施例１４の第２レンズ群（ソフトフォーカス光学系）Ｕ２は、物体側から像側へ順に、正レンズと負レンズの各１枚の単レンズで構成されている。各レンズは、物体側に凹面を有する正のレンズと、物体側に凸面を有する負のレンズである。第１レンズ群と第２レンズ群で構成される実施例１４のソフトフォーカスレンズは、焦点距離３３．１ｍｍ、半画角３３．２度、Ｆナンバー１．４０である。
【００８９】
図２６に実施例１４のソフトフォーカスレンズの無限遠合焦時の縦収差図を示す。図２９に実施例１４における第１レンズ群のみからなるレンズ装置の無限遠合焦時の縦収差図を示す。なお、図２９に示した実施例１３における第１レンズ群のみからなるレンズ装置の無限遠合焦時の縦収差図は、実施例１乃至７及び１０乃至１４において同様である。
本実施例の各条件式対応値を表１に示すように、本実施例は（１）、（２）、（４）〜（６）、（８）〜（１１）式を満足している。
【００９０】
以下、本実施例に対応する数値実施例を示す。実施例中の非球面形状は次の式で表される。また、表１に本実施例の各条件式対応値を示す。ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉは、第ｉ番目の面と第ｉ＋１番目の面との間の媒質（光学部材）の屈折率、アッベ数、部分分散比を、ＢＦは空気換算のバックフォーカスを表している。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２をそれぞれ非球面係数としたとき、次式で表している。また、「ｅ−Ｚ」は「×１０-Z」を意味する。
【数１】
2018205658.tif 000003
ここでＡ３乃至Ａ１２は非球面係数であり、非球面形状は光軸からの高さＨの位置における面頂点を基準とした光軸方向の変位ｘで表される。但し、Ｒは近軸曲率半径、Ｋは円錐定数である。面番号の数字の横に付した「＊」はその面が非球面であることを示す。
【００９１】
（数値実施例１）
単位 mm
面番号i      ri       di     ndi        vdi      有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    1.00                         37.18
20         45.104    2.00   1.91082    35.3       38.38
21         29.184    4.64   1.59270    35.3       36.79
22         51.116   32.49                         36.58
像面        ∞   
非球面データ
第15面
K = 4.82454e+000  A 4= 1.27386e-005  A 6= 2.46580e-009  A 8=-1.63965e-011  A10= 1.16481e-014  
焦点距離      34.20  
Fナンバー      1.45  
画角          32.32  
像高          21.64  
レンズ全長   129.93  
BF            32.49  
入射瞳位置    35.84  
射出瞳位置   -44.66  
前側主点位置  54.88  
後側主点位置  -1.71  
群  始面    焦点距離  レンズ構成長  前側主点位置  後側主点位置
1    1      34.20        89.80        56.64          5.15
2   20    -664.45         6.64        38.36         32.49
単レンズデータ
レンズ  始面  焦点距離
1       1    -93.89
2       3    -97.84
3       5     89.40
4       7     58.02
5       9     35.85
6      10    -29.18
7      13    -21.85
8      14     62.49
9      16     45.35
10      18     57.18
11      20    -96.55
12      21    106.38
【００９２】
（数値実施例２）
単位 mm
面番号i      ri       di     ndi        vdi      有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    1.00                         37.18
20         47.451    2.00   1.91082    35.3       38.45
21         32.487    0.48                         37.14
22         32.772    4.01   1.59270    35.3       37.52
23         52.983   32.76                         37.29
像面        ∞   
非球面データ
第15面
K = 4.82454e+000  A 4= 1.27386e-005  A 6= 2.46580e-009  A 8=-1.63965e-011  A10= 1.16481e-014  
焦点距離      34.20  
Fナンバー      1.45  
画角          32.32  
像高          21.64  
レンズ全長   130.05  
BF            32.76  
入射瞳位置    35.84  
射出瞳位置   -46.11  
前側主点位置  55.21  
後側主点位置  -1.44  
群  始面    焦点距離  レンズ構成長  前側主点位置  後側主点位置
1    1      34.20        89.80        56.64          5.15
2   20    -817.67         6.49        38.36         32.75
単レンズデータ
レンズ  始面  焦点距離
1       1    -93.89
2       3    -97.84
3       5     89.40
4       7     58.02
5       9     35.85
6      10    -29.18
7      13    -21.85
8      14     62.49
9      16     45.35
10      18     57.18
11      20   -120.79
12      22    134.98
【００９３】
（数値実施例３）
単位 mm
面番号i      ri       di     ndi        vdi      有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    1.00                         37.18
20         72.372    1.99   1.57250    57.7       38.35
21         60.970    1.49                         38.06
22         89.543    1.99   1.43875    94.7       38.16
23        112.378   33.71                         38.17
像面        ∞   
非球面データ
第15面
K = 4.82454e+000  A 4= 1.27386e-005  A 6= 2.46580e-009  A 8=-1.63965e-011  A10= 1.16481e-014  
焦点距離      34.20  
Fナンバー      1.45  
画角          32.32  
像高          21.64  
レンズ全長   129.98  
BF            33.71  
入射瞳位置    35.84  
射出瞳位置   -50.77  
前側主点位置  56.19  
後側主点位置  -0.49  
群  始面    焦点距離  レンズ構成長  前側主点位置  後側主点位置
1    1      34.20        89.80        56.64          5.15
2   20   -2639.96         5.47        38.36         33.71
単レンズデータ
レンズ  始面  焦点距離
1       1    -93.89
2       3    -97.84
3       5     89.40
4       7     58.02
5       9     35.85
6      10    -29.18
7      13    -21.85
8      14     62.49
9      16     45.35
10      18     57.18
11      20   -721.84
12      22    978.31
【００９４】
（数値実施例４）
単位 mm
面番号i      ri       di     ndi        vdi      有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    1.00                         37.18
20         69.471    1.99   1.43875    94.7       38.36
21         58.444    1.88                         38.15
22        101.252    1.99   1.51633    64.1       38.25
23        118.838   33.32                         38.23
像面        ∞   
非球面データ
第15面
K = 4.82454e+000  A 4= 1.27386e-005  A 6= 2.46580e-009  A 8=-1.63965e-011  A10= 1.16481e-014  
焦点距離      34.20  
Fナンバー      1.45  
画角          32.32  
像高          21.64  
レンズ全長   129.98  
BF            33.32  
入射瞳位置    35.84  
射出瞳位置   -51.34  
前側主点位置  56.22  
後側主点位置  -0.88  
群  始面    焦点距離  レンズ構成長  前側主点位置  後側主点位置
1    1      34.20        89.80        56.64          5.15
2   20   -2825.68         5.86        38.36         33.32
単レンズデータ
レンズ  始面  焦点距離
1       1    -93.89
2       3    -97.84
3       5     89.40
4       7     58.02
5       9     35.85
6      10    -29.18
7      13    -21.85
8      14     62.49
9      16     45.35
10      18     57.18
11      20   -888.07
12      22   1275.91
【００９５】
（数値実施例５）
単位 mm
面番号i      ri       di     ndi        vdi      有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    3.25                         37.18
20         51.242    5.47   1.91082    35.3       39.07
21         28.398    5.52   1.59270    35.3       36.57
22         64.284   25.86                         36.50
像面        ∞   
非球面データ
第15面
K = 4.82454e+000  A 4= 1.27386e-005  A 6= 2.46580e-009  A 8=-1.63965e-011  A10= 1.16481e-014  
焦点距離      32.83  
Fナンバー      1.39  
画角          33.38  
像高          21.64  
レンズ全長   129.90  
BF            25.86  
入射瞳位置    35.84  
射出瞳位置   -46.25  
前側主点位置  53.72  
後側主点位置  -6.98  
群  始面    焦点距離  レンズ構成長  前側主点位置  後側主点位置
1    1      34.20        89.80        56.64          5.15
2   20    -724.96        10.99        66.31         54.85
単レンズデータ
レンズ  始面  焦点距離
1       1    -93.89
2       3    -97.84
3       5     89.40
4       7     58.02
5       9     35.85
6      10    -29.18
7      13    -21.85
8      14     62.49
9      16     45.35
10      18     57.18
11      20    -78.95
12      21     81.18
【００９６】
（数値実施例６）
単位 mm
面番号i      ri       di     ndi        vdi      有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    0.99                         37.18
20         46.067    1.99   1.91082    35.3       37.91
21         28.179    4.74   1.59270    35.3       36.21
22         50.131   33.83                         36.00
像面        ∞   
非球面データ
第15面
K = 4.82454e+000  A 4= 1.27386e-005  A 6= 2.46580e-009  A 8=-1.63965e-011  A10= 1.16481e-014  
焦点距離      35.57  
Fナンバー      1.51  
画角          31.31  
像高          21.64  
レンズ全長   131.35  
BF            33.83  
入射瞳位置    35.84  
射出瞳位置   -42.79  
前側主点位置  54.89  
後側主点位置  -1.74  
群  始面    焦点距離  レンズ構成長  前側主点位置  後側主点位置
1    1      34.20        89.80        56.64          5.15
2   20    -390.95         6.73        23.33         18.19
単レンズデータ
レンズ  始面  焦点距離
1       1    -93.89
2       3    -97.84
3       5     89.40
4       7     58.02
5       9     35.85
6      10    -29.18
7      13    -21.85
8      14     62.49
9      16     45.35
10      18     57.18
11      20    -84.14
12      21    100.50
【００９７】
（数値実施例７）
単位 mm
面番号i      ri       di     ndi        vdi      有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950   11.00                         37.18
20         52.291    1.96   1.91082    35.3       39.43
21         28.003    6.18   1.59270    35.3       37.71
22         69.587   22.21                         37.65
像面        ∞   
非球面データ
第15面
K = 4.82454e+000  A 4= 1.27386e-005  A 6= 2.46580e-009  A 8=-1.63965e-011  A10= 1.16481e-014  
焦点距離      34.20  
Fナンバー      1.45  
画角          32.32  
像高          21.64  
レンズ全長   131.15  
BF            22.21  
入射瞳位置    35.84  
射出瞳位置   -52.67  
前側主点位置  54.42  
後側主点位置 -11.99  
群  始面    焦点距離  レンズ構成長  前側主点位置  後側主点位置
1    1      34.20        89.80        56.64          5.15
2   20    -526.93         8.14        28.36         22.21
単レンズデータ
レンズ  始面  焦点距離
1       1    -93.89
2       3    -97.84
3       5     89.40
4       7     58.02
5       9     35.85
6      10    -29.18
7      13    -21.85
8      14     62.49
9      16     45.35
10      18     57.18
11      20    -68.84
12      21     74.92
【００９８】
（数値実施例８）
単位 mm
面データ
面番号i      ri       di     ndi        vdi      有効径
1        131.189   10.84   1.48749    70.2       67.28
2       -264.579    0.90                         65.55
3         53.910    9.80   1.49700    81.5       58.63
4        260.718    3.20                         56.87
5       -623.694    3.80   1.83400    37.2       55.96
6        105.942    2.53                         52.76
7         63.907    8.04   1.49700    81.5       51.28
8       -609.143    0.20                         50.19
9         27.722    3.23   1.71736    29.5       41.68
10         23.809   12.30                         37.63
11(絞り)    ∞       3.97                         35.42
12      -1002.290    5.00   1.84666    23.9       32.68
13        -65.695    1.78   1.71999    50.2       31.54
14         39.690   21.66                         28.83
15        -34.937    2.72   1.74077    27.8       25.92
16        130.139    8.68   1.77250    49.6       30.09
17        -43.302    0.50                         33.26
18         97.410    5.67   1.83400    37.2       36.69
19       -205.341   15.00                         37.11
20         45.104    2.00   1.91082    35.3       39.19
21         29.184    4.64   1.59270    35.3       37.47
22         51.116   33.12                         37.25
像面        ∞   
焦点距離     131.10  
Fナンバー      2.06  
画角           9.37  
像高          21.64  
レンズ全長   159.60  
BF            33.12  
入射瞳位置    74.80  
射出瞳位置   -93.60  
前側主点位置  70.27  
後側主点位置 -97.98  
群  始面    焦点距離  レンズ構成長  前側主点位置  後側主点位置
1    1     130.98       104.83        95.99        -76.99
2   20    -664.45         6.64        38.36         32.49
単レンズデータ
レンズ  始面  焦点距離
1       1    181.54
2       3    134.63
3       5   -108.33
4       7    116.84
5       9   -358.95
6      12     82.83
7      13    -34.12
8      15    -36.92
9      16     43.00
10      18     79.90
11      20    -96.55
12      21    106.38
【００９９】
（数値実施例９）
単位 mm
面データ
面番号i      ri       di     ndi        vdi      有効径
1         61.880    2.99   1.83481    42.7       53.51
2         27.026    8.34                         43.12
3         71.747    3.00   1.58313    59.4       42.60
4*        25.706    6.93                         38.31
5         92.706    4.95   1.88300    40.8       38.05
6       -127.713    0.70                         37.62
7        -97.467    2.50   1.49700    81.5       37.37
8         39.023    5.83   1.83481    42.7       34.09
9      -1070.546    3.79                         33.21
10         46.333    5.98   1.83481    42.7       27.09
11        -47.248    1.90   1.54814    45.8       25.70
12         21.482    5.07                         23.11
13        -53.687    1.40   1.65412    39.7       23.16
14        197.561    0.15                         23.89
15         29.239    6.73   1.43387    95.1       25.18
16        -44.333    2.59                         25.23
17(絞り)    ∞       7.21                         24.22
18        -17.904    3.78   1.60311    60.6       23.59
19        -15.383    2.15   1.80518    25.4       24.60
20        -48.206    0.25                         28.76
21         97.922    8.54   1.61800    63.3       31.58
22        -29.308    0.25                         33.17
23*      -162.434    5.28   1.80400    46.6       34.55
24        -36.488    0.20                         36.02
25         45.104    2.00   1.91082    35.3       37.41
26         29.184    4.64   1.59270    35.3       35.97
27         51.116   32.73                         35.77
像面        ∞   
非球面データ
第4面
K = 0.00000e+000  A 4=-5.57660e-006  A 6=-9.40593e-009  A 8= 5.84881e-012  A10=-3.17028e-014  
第23面
K = 0.00000e+000  A 4=-1.09975e-005  A 6=-1.48146e-009  A 8=-9.36205e-012  A10=-5.31145e-015  
焦点距離      24.56  
Fナンバー      1.45  
画角          41.38  
像高          21.64  
レンズ全長   129.88  
BF            32.73  
入射瞳位置    29.97  
射出瞳位置   -50.42  
前側主点位置  47.28  
後側主点位置   8.17  
ズームレンズ群データ
群  始面    焦点距離  レンズ構成長  前側主点位置  後側主点位置
1    1      24.55        90.31        48.18         14.25
2   25    -664.45         6.64        38.36         32.49
単レンズデータ
レンズ  始面  焦点距離
1       1    -59.81
2       3    -70.39
3       5     61.48
4       7    -55.73
5       8     45.21
6      10     28.86
7      11    -26.68
8      13    -64.40
9      15     41.76
10      18    115.85
11      19    -28.90
12      21     37.46
13      23     57.46
14      25    -96.55
15      26    106.38
【０１００】
（数値実施例１０）
単位 mm
面データ
面番号i      ri       di     ndi        vdi      有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    1.00                         37.18
20       -123.706    3.00   1.49700    81.5       38.04
21       -105.297    1.00                         38.61
22         44.595    2.15   1.49700    81.5       39.62
23         43.516   32.56                         39.12
像面        ∞   
非球面データ
第15面
K = 4.82454e+000  A 4= 1.27386e-005  A 6= 2.46580e-009  A 8=-1.63965e-011  A10= 1.16481e-014  
焦点距離      33.13  
Fナンバー      1.40  
画角          33.15  
像高          21.64  
レンズ全長   129.51  
BF            32.56  
入射瞳位置    35.84  
射出瞳位置   -54.17  
前側主点位置  56.31  
後側主点位置  -0.57  
群  始面    焦点距離  レンズ構成長  前側主点位置  後側主点位置
1    1      34.20        89.80        56.64          5.15
2   20    1519.68         6.15       -10.73        -14.99
単レンズデータ
レンズ  始面  焦点距離
1       1     -93.89
2       3     -97.84
3       5      89.40
4       7      58.02
5       9      35.85
6      10     -29.18
7      13     -21.85
8      14      62.49
9      16      45.35
10      18      57.18
11      20    1350.65
12      22  -10660.90
【０１０１】
（数値実施例１１）
単位 mm
面データ
面番号i      ri       di     ndi        vdi      有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    1.00                         37.18
20        102.297    3.00   1.49700    81.5       38.59
21        101.091    5.83                         38.53
22       -132.679    1.17   1.49700    81.5       38.96
23       -107.749   28.47                         39.13
像面        ∞   
非球面データ
第15面
K = 4.82454e+000  A 4= 1.27386e-005  A 6= 2.46580e-009  A 8=-1.63965e-011  A10= 1.16481e-014  
焦点距離      33.13  
Fナンバー      1.40  
画角          33.15  
像高          21.64  
レンズ全長   129.28  
BF            28.47  
入射瞳位置    35.84  
射出瞳位置   -59.87  
前側主点位置  56.54  
後側主点位置  -4.66  
群  始面    焦点距離  レンズ構成長  前側主点位置  後側主点位置
1    1      34.20        89.80        56.64          5.15
2   20    1160.58        10.01         0.87         -7.84
単レンズデータ
レンズ  始面  焦点距離
1       1     -93.89
2       3     -97.84
3       5      89.40
4       7      58.02
5       9      35.85
6      10     -29.18
7      13     -21.85
8      14      62.49
9      16      45.35
10      18      57.18
11      20  -98690.69
12      22    1136.04
【０１０２】
（数値実施例１２）
単位 mm
面データ
面番号i      ri       di     ndi        vdi      有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    1.00                         37.18
20         93.540    4.03   1.62041    60.3       38.61
21       -359.961    2.00   1.56883    56.4       38.52
22         84.233   32.58                         38.21
像面        ∞   
非球面データ
第15面
K = 4.82454e+000  A 4= 1.27386e-005  A 6= 2.46580e-009  A 8=-1.63965e-011  A10= 1.16481e-014  
焦点距離      33.13  
Fナンバー      1.40  
画角          33.15  
像高          21.64  
レンズ全長   129.41  
BF            32.58  
入射瞳位置    35.84  
射出瞳位置   -50.66  
前側主点位置  55.78  
後側主点位置  -0.55  
群  始面    焦点距離  レンズ構成長  前側主点位置  後側主点位置
1    1      34.20        89.80        56.64          5.15
2   20    5264.68         6.02      -131.68       -132.13
単レンズデータ
レンズ  始面  焦点距離
1       1    -93.89
2       3    -97.84
3       5     89.40
4       7     58.02
5       9     35.85
6      10    -29.18
7      13    -21.85
8      14     62.49
9      16     45.35
10      18     57.18
11      20    120.08
12      21   -119.80 
【０１０３】
（数値実施例１３）
単位 mm
面データ
面番号i      ri       di     ndi        vdi      有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    1.00                         37.18
20         80.113    3.51   1.59270    35.3       38.79
21         63.512    1.00                         38.47
22         63.512    2.62   1.88300    40.8       38.74
23         73.529   31.27                         38.39
像面        ∞   
非球面データ
第15面
K = 4.82454e+000  A 4= 1.27386e-005  A 6= 2.46580e-009  A 8=-1.63965e-011  A10= 1.16481e-014  
焦点距離      32.83  
Fナンバー      1.39  
画角          33.38  
像高          21.64  
レンズ全長   129.21  
BF            31.27  
入射瞳位置    35.84  
射出瞳位置   -51.12  
前側主点位置  55.59  
後側主点位置  -1.56  
群  始面    焦点距離  レンズ構成長  前側主点位置  後側主点位置
1    1      34.20        89.80        56.64          5.15
2   20    3520.55         7.13      -108.33       -109.55
単レンズデータ
レンズ  始面  焦点距離
1       1    -93.89
2       3    -97.84
3       5     89.40
4       7     58.02
5       9     35.85
6      10    -29.18
7      13    -21.85
8      14     62.49
9      16     45.35
10      18     57.18
11      20   -561.33
12      22    470.32
【０１０４】
（数値実施例１４）
単位 mm
面データ
面番号i      ri       di     ndi        vdi      有効径
1        320.116    2.80   1.51633    64.1       51.99
2         41.977    5.78                         45.00
3        174.176    2.30   1.51823    58.9       44.56
4         39.095   14.53                         41.15
5         83.274    4.44   1.77250    49.6       39.37
6       -395.333    6.26                         38.88
7         57.067    5.14   1.77250    49.6       35.63
8       -200.681    8.71                         35.34
9        607.365    6.47   1.77250    49.6       30.62
10        -28.883    1.50   1.65412    39.7       30.02
11         57.419    4.23                         26.96
12(絞り)    ∞       7.82                         25.98
13        -19.812    1.60   1.80518    25.4       24.65
14        162.417    4.90   1.83481    42.7       27.82
15*       -75.797    0.20                         29.43
16       -470.465    6.60   1.77250    49.6       30.27
17        -32.806    0.20                         32.76
18       -154.187    6.32   1.77250    49.6       35.98
19        -34.950    1.00                         37.18
20       -506.331    3.00   1.75500    52.3       38.20
21       -258.257    1.07                         38.53
22        129.636    5.93   2.00330    28.3       38.89
23        108.301   30.70                         38.29
像面        ∞   
非球面データ
第15面
K = 4.82454e+000  A 4= 1.27386e-005  A 6= 2.46580e-009  A 8=-1.63965e-011  A10= 1.16481e-014  
焦点距離      33.13  
Fナンバー      1.40  
画角          33.15  
像高          21.64  
レンズ全長   131.51  
BF            30.70  
入射瞳位置    35.84  
射出瞳位置   -52.37  
前側主点位置  55.75  
後側主点位置  -2.43  
群  始面    焦点距離  レンズ構成長  前側主点位置  後側主点位置
1    1      34.20        89.80        56.64          5.15
2   20    6036.00        10.00      -156.59       -158.14
単レンズデータ
レンズ  始面  焦点距離
1       1    -93.89
2       3    -97.84
3       5     89.40
4       7     58.02
5       9     35.85
6      10    -29.18
7      13    -21.85
8      14     62.49
9      16     45.35
10      18     57.18
11      20    694.55
12      22   -762.03
【０１０５】
【表１】
2018205658.tif 000004
【０１０６】
図３２は各実施例のソフトフォーカス光学系を使用したソフトフォーカスレンズ、またはコンバーター或いはアタッチメント光学系として用いた撮像装置（テレビカメラシステム）の概略図である。図２２において１０１は実施例１〜１４のいずれかのソフトフォーカス光学系を含むレンズ装置である。１２４はカメラ装置である。レンズ装置１０１はカメラ装置１２４に対して着脱可能となっている。１２５はカメラ装置１２４にレンズ装置１０１を装着することで構成される撮像装置である。レンズ装置１０１は第１レンズ群Ｆ、ソフトフォーカス光学系Ｒを有している。第１レンズ群Ｆは合焦用レンズ群が含まれている。ＳＰは開口絞りである。１１５は第１レンズ群Ｆ中の合焦用レンズ群を光軸方向に駆動するヘリコイドやカム等の駆動機構である。１１７、１１８は駆動機構１１５及び開口絞りＳＰを電動駆動するモータ（駆動手段）である。１２０、１２１は、第１レンズ群Ｆの光軸上の位置や、開口絞りＳＰの絞り径を検出するためのエンコーダやポテンショメータ、あるいはフォトセンサ等の検出器である。カメラ装置１２４において、１０９はカメラ装置１２４内の光学フィルタや色分解光学系に相当するガラスブロック、１１０はレンズ装置１０１によって形成された被写体像を受光するＣＣＤセンサやＣＭＯＳセンサ等の固体撮像素子（光電変換素子）である。また、１１１、１２２はカメラ装置１２４及びレンズ装置１０１の各種の駆動を制御するＣＰＵである。
【０１０７】
このように、本発明のズームレンズをテレビカメラに適用することにより、高い光学性能を有する撮像装置を実現している。
【符号の説明】
【０１０８】
Ｕ１  ：第１レンズ群（撮像光学系）
Ｕ２  ：第２レンズ群（ソフトフォーカス光学系）
【図１】
2018205658.tif 000005
【図２】
2018205658.tif 000006
【図３】
2018205658.tif 000007
【図４】
2018205658.tif 000008
【図５】
2018205658.tif 000009
【図６】
2018205658.tif 000010
【図７】
2018205658.tif 000011
【図８】
2018205658.tif 000012
【図９】
2018205658.tif 000013
【図１０】
2018205658.tif 000014
【図１１】
2018205658.tif 000015
【図１２】
2018205658.tif 000016
【図１３】
2018205658.tif 000017
【図１４】
2018205658.tif 000018
【図１５】
2018205658.tif 000019
【図１６】
2018205658.tif 000020
【図１７】
2018205658.tif 000021
【図１８】
2018205658.tif 000022
【図１９】
2018205658.tif 000023
【図２０】
2018205658.tif 000024
【図２１】
2018205658.tif 000025
【図２２】
2018205658.tif 000026
【図２３】
2018205658.tif 000027
【図２４】
2018205658.tif 000028
【図２５】
2018205658.tif 000029
【図２６】
2018205658.tif 000030
【図２７】
2018205658.tif 000031
【図２８】
2018205658.tif 000032
【図２９】
2018205658.tif 000033
【図３０】
2018205658.tif 000034
【図３１】
2018205658.tif 000035
【図３２】
2018205658.tif 000036